(57)【要約】  【課題】  デザイン性に優れ、操作性を損なわずに誤操作を防止できる操作子、操作子の配置方法および機器を提供する。  【解決手段】  略円筒形状に構成された回転つまみ１３は、周面が部分的に露出するように、上面がパネル板４０によって覆われている。パネル板４０は、機器の操作部の外面を形成するタッチパネルを構成する透明性の部材である。回転つまみ１３の上面には、指標５９が設けられており、パネル板４０を介してユーザが視認可能とされている。ユーザは、回転つまみ１３の周面の露出部分を指で回転して操作する。パネル板４０によって回転つまみ１３の上面が覆われているため、不用意に回転つまみ１３に触り誤動作を起こすのを防止できる。【選択図】        図５
2006294197.tif 000002
【特許請求の範囲】
【請求項１】
変位部に指標が設けられ、
透明性のカバー部材によって操作部が部分的に露出するように覆われ、
上記指標が上記カバー部材を介して視認可能に配置された
ことを特徴とする操作子。
【請求項２】
変位部に指標が設けられた操作子を、
透明性のカバー部材によって操作部が部分的に露出するように覆い、
上記指標が上記カバー部材を介して視認可能に配置する
ことを特徴とする操作子の配置方法。
【請求項３】
変位部に設けられた第１の指標が外形面側から視認可能に配置された操作子と、
上記外形面を形成すると共に、上記操作子の操作部が部分的に露出するように上記操作子を覆う透明性のカバー部材と
を有することを特徴とする機器。
【請求項４】
上記カバー部材は、タッチパネル装置のパネルである請求項３に記載の機器。
【請求項５】
上記第１の指標に対応する第２の指標が上記カバー部材に記されている請求項３に記載の機器。
【請求項６】
上記操作部を底部側にて露出するようにした請求項３に記載の機器。
【発明の詳細な説明】
【技術分野】
【０００１】
この発明は、操作子、操作子の配置方法および機器に関する。
【背景技術】
【０００２】
機器の外面に取り付けられる操作子には、様々な種類がある。例えば、回転つまみは、アナログ的または多段階的な操作に適しており、音量調整用の操作子などに使用されている。
【０００３】
回転つまみなどの操作子は、通常、機器の外形から突出して配置されるため、不用意に触れて誤操作を引き起こしやすい。このような誤操作を防止するために、例えば、以下の特許文献１には、電子機器が有する複数の操作部材、すなわち操作子の一部を、電池収納部を開閉する電池蓋によって覆われる部分に配置した電子機器が提案されている。
【０００４】
【特許文献１】特開平９−２９８８４２号公報
【発明の開示】
【発明が解決しようとする課題】
【０００５】
しかしながら、従来の操作子、操作子の配置方法および機器には、以下のような問題点があった。機器の外面に操作子を配置する場合、操作性だけでなくデザイン性も要求される。例えば、機器の外形を滑らかで凹凸が少ない形状とすることによって、機器に高級感を持たせることが考えられる。ところが、このような機器の外面に厚みのある回転つまみなどの操作子を配置すると、操作子が機器の外形から突出してしまい、高級感を損ねてしまうという問題点があった。
【０００６】
また、上述した特許文献１に記載されているように、蓋によって操作子を覆う場合、操作子を操作する際に蓋を開閉しなければならず、操作性が良好でないという問題点があった。また、指標が設けられている操作子を蓋によって覆ってしまうと、操作子の設定状態を外部から確認できないという問題点があった。
【０００７】
したがって、この発明の目的は、デザイン性に優れ、操作性を損なわずに誤操作を防止できる操作子、操作子の配置方法および機器を提供することにある。
【課題を解決するための手段】
【０００８】
上述した課題を解決するために、第１の発明は、変位部に指標が設けられ、
透明性のカバー部材によって操作部が部分的に露出するように覆われ、
指標がカバー部材を介して視認可能に配置された
ことを特徴とする操作子である。
【０００９】
第１の発明では、カバー部材によって覆われた操作部には、指などが触れることはない。操作子は、カバー部材から露出した操作部を指などにより触って操作できる。また、変位部の指標は、カバー部材を介して視認できる。
【００１０】
また、第２の発明は、変位部に設けられた第１の指標が外形面側から視認可能に配置された操作子と、
外形面を形成すると共に、操作子の操作部が部分的に露出するように操作子を覆う透明性のカバー部材と
を有することを特徴とする機器である。
【００１１】
第２の発明では、カバー部材によって覆われた操作子の操作部には、指などが触れることはない。操作子は、カバー部材から露出した操作部を指などにより触って操作できる。また、変位部の第１の指標は、カバー部材を介して視認できる。カバー部材は、機器の外形面を形成するため、機器の外形面から操作子が突出しない構成となる。
【００１２】
第２の発明において、カバー部材は、タッチパネル装置のパネルであることが好ましい。これによって、操作子を覆うカバー部材を新たに設ける必要がなくなる。
【００１３】
第２の発明において、第１の指標に対応する第２の指標がカバー部材に記されていることが好ましい。これによって、操作子の設定状態の確認が容易となる。
【００１４】
第２の発明において、操作部を底部側にて露出することが好ましい。これによって、操作子を不用意に操作させ難くすることができる。
【発明の効果】
【００１５】
この発明によれば、操作子が機器の外形から突出しないため、機器の外観を凹凸のない滑らかなものとすることができる。また、誤操作防止のためにカバー部材によって操作子を覆っても、操作部の露出部分を触って操作子を操作できるため、操作性を損なうことがない。さらに、操作子の指標がカバー部材を介して見えるため、操作子の設定状態を外形面側から容易に確認できる。
【発明を実施するための最良の形態】
【００１６】
以下、この発明の一実施形態について、図面を参照して説明する。
【００１７】
まず、この発明の一実施形態による操作子を備えた機器の一例について説明する。図１は、この発明に適用可能な記録再生装置１の一例のフロントパネル２の構成を示す。この記録再生装置１は、光ディスクを記録媒体として用い、ビデオカメラなど外部から供給された映像信号の記録媒体に対する記録や、記録媒体に記録された映像信号の再生を行うようにされている。記録再生装置１に適用可能な記録媒体としては、例えば、波長４０５ｎｍのレーザ光を発する青紫色レーザを光源とし、片面１層構造で２３ＧＢ（ギガバイト）の記録容量が実現した光ディスクを用いることができる。
【００１８】
後述するが、記録再生装置１は、フロントパネル２に例えばＬＣＤ(Liquid Crystal Display)などによる表示部１０が設けられ、記録媒体から再生された映像信号や外部から供給された映像信号を映出させることができると共に、表示部１０に記録再生装置１の各種ステータス情報などを、映像信号と共に表示させることができる。
【００１９】
フロントパネル２上に配置される各操作子は、一部を除きタッチパネルを用いて構成される。タッチパネルは、例えば、基板上に設けられた電極の静電容量の変化に基づき手指の接触を検出する、静電容量結合方式のものを用いることができる。例えば、フロントパネル２の表示部１０を除く略全面に対応する基板に対して、操作部分に対応する位置に所定に電極を形成する。基板は、例えばＰＥＴ(Polyethylene Terephthalate)などによるフィルムが用いられる。この基板に対して、ガラス板やアクリル板などの誘電体の板を接着し、パネル面を形成する。
【００２０】
基板に接着する誘電体の板は、例えばアクリル板が用いられ、さらに透明アクリル板を用いることで、デザインに高級感を持たせることができ好ましい。以下では、基板に接着する誘電体の板として透明アクリル板を用いるものとし、当該板をパネル板と呼ぶ。
【００２１】
より具体的には、タッチパネルは、図２に一例が概略的に示されるように、ＰＥＴシート４１ＢにＩＴＯ(Iridium Tin Oxide)膜４１Ａで信号パターンとＧＮＤ(Ground)パターンとを形成した透明電極シート４１を、透明アクリル板からなるパネル板４０に接着してなる。
【００２２】
パネル板４０は、例えば裏面から塗装され、電極構造が外部から隠蔽されると共に、各キーの機能などを示す文字や記号が印刷される。このとき、塗装に透過部を設け、その裏面にＬＥＤ(Light Emitting Diode)などの発光素子を配することができる。タッチパネルの操作に応じて対応する位置の発光素子を所定に点灯させることで、操作結果などを明示的に示すことができる。
【００２３】
フロントパネル２における各部のレイアウトについて、概略的に説明する。フロントパネル２の左側部分に、例えばＬＣＤを用いた表示部１０が設けられる。表示部１０には、この記録再生装置１に入力された映像またはこの記録再生装置１で記録媒体から再生された映像を映出可能であると共に、この記録再生装置１の各種ステータスや後述するファンクションキー２０、２０、・・・の機能などが表示される。
【００２４】
フロントパネル２の右側上部は、上端から横長の矩形状に切り欠いた切り欠き部１１が設けられ、切り欠き部１１により、記録再生装置１の本体側に設けられるディスク挿入口１２が露出されるようになっている。すなわち、このフロントパネル２は、記録再生装置１に対して可動構造とされており、下端部が前方に迫り出すように作動し、フロントパネル２が傾斜可能となっている。フロントパネル２は、下端部が前方に迫り出すと共に上端部が所定に下がるように動作し、フロントパネル２を傾斜させた際に、ディスク挿入口１２に対するディスクの挿入を妨げないようにされる。
【００２５】
フロントパネル２の左側の下端部には、例えば音声入力信号のレベル調整を行うための回転つまみ１３Ａ、１３Ｂ、１３Ｃおよび１３Ｄが設けられる。回転つまみ１３Ａ、１３Ｂ、１３Ｃおよび１３Ｄは、それぞれフロントパネル２の下端に弧の一部が露出され、弧の他の部分は上述したパネル板４０に覆われるように配置される。露出される部分は、ユーザが指を掛け回転つまみ１３Ａ、１３Ｂ、１３Ｃおよび１３Ｄを回転させるのに必要十分である程度とされる。回転つまみ１３Ａ、１３Ｂ、１３Ｃおよび１３Ｄの目盛りなどは、例えば回転つまみ１３Ａ、１３Ｂ、１３Ｃおよび１３Ｄの表面に記され、パネル板４０を介して視認可能なようにされる。回転つまみ１３Ａ、１３Ｂ、１３Ｃおよび１３Ｄの右側には、回転つまみ１３Ａ、１３Ｂ、１３Ｃおよび１３Ｄの調整モード設定するスイッチ１４が設けられる。
【００２６】
フロントパネル２の左端側に、上から、電源スイッチ１５、リモート選択スイッチ１６、ヘッドフォンレベルボリューム１７およびヘッドフォンジャック１８が設けられる。また、ディスク挿入口１２の右側には、ディスク挿入口１２から挿入され記録再生装置に装填されたディスクを排出するためのイジェクトボタン１９が設けられる。さらに、フロントパネル２の中央付近に、シフトキー２４が設けられる。
【００２７】
フロントパネル２のタッチパネルで構成された操作子について説明する。以下に説明するキーやサーチバーなどの実体は、パネル板４０を介して設けられる透明電極シート４１上に形成された電極によるセンサであって、静電容量の変化に基づき手指の接触を検出して所定の制御信号を出力する。このフロントパネル２においては、手指の接触が検出されたか否かを示す信号を出力するディジタル方式のセンサと、２点間の手指の位置を連続的に検出することができるアナログ方式のセンサとが用いられている。この図１の例では、各種キーにディジタル方式のセンサが用いられ、サーチバー３０にアナログ方式のセンサが採用されている。
【００２８】
なお、以下では、ディジタル方式のセンサによる各種キーに触れ、当該キーに触れたことを検出させることを、便宜上、当該キーを押すと表現する。
【００２９】
表示部１０の右側に隣接するように、ファンクションキー２０、２０、・・・が配される。ファンクションキー２０、２０、・・・は、複数（図１の例では、ファンクションＦ１〜Ｆ５の５個）のキー２０、２０、・・・からキー組が構成され、キー組毎に、キー２０、２０、・・・それぞれの機能を所定に切り替えることができるようにされている。ファンクションキー２０、２０、・・・それぞれに割り当てられる機能は、表示部１０に表示される表示画面の表示モードがファンクションメニューモードであるときに、表示部１０の右端の、ファンクションキー２０、２０、・・・それぞれに対応する位置に表示される。
【００３０】
ファンクションキー２０、２０、・・・の下部に、ページキー２１およびディスプレイキー２２が配される。ページキー２１は、表示部１０の表示モードをファンクションキーが表示されるファンクションモードに切り換えると共に、ファンクションキー２０、２０、・・・のキー組を切り換える。ディスプレイキー２２は、表示部１０に表示されている画面のモードを切り替える。
【００３１】
ディスク挿入口１２の下部に、編集操作やシステム設定などに用いられる各種キー２３Ａ〜２３Ｅが配される。これら各種キー２３Ａ〜２３Ｅは、ユーザがパネル面を見なくても操作が可能なように、表面に所定に突起部が設けられる。なお、この図１の例では、キー２３Ａ〜２３Ｃには、それぞれ２つの機能が割り当てられ、それぞれの機能の内容がキーの上下に記されている。シフトキー２４を押しながらキー２３Ａ〜２３Ｃを押すことで、例えばキーの下側に記されている機能が選択される。
【００３２】
図１の例では、キー２３Ａは、簡易的に編集を行う際に用いるキーであって、クリップの切り出しや接続を指示する。キー２３Ｂは、サムネイル画像の表示を指示する。シフトキー２４と共にキー２３Ｂを操作することで、エッセンスマークサーチが指示される。エッセンスマークは、例えばカメラのフィルタ交換など、映像記録時の所定の条件の変化に応じて自動的に記録されるマークである。キー２３Ｃ〜２３Ｅは、この記録再生装置１のシステム設定を行う際に用いられるキーである。なお、キー２３Ｃは、編集作業の際にも用いられる。
【００３３】
各種キー２３Ａ〜２３Ｅの下部に、各種の記録再生動作を制御するためのキー２５Ａ〜２５Ｅが配される。すなわち、キー２５Ａは、例えば１度押すことで現在再生または選択されているクリップの先頭に戻り、連続的に２度押すことで、ディスクに記録されている先頭のクリップに移動する。キー２５Ｂは、順方向への１倍速の再生を指示するプレイバックキーである。キー２６Ｃは、例えば１度押すことで現在再生または選択されているクリップの次のクリップの先頭に移動し、連続的に２度押すことで、ディスクに記録されている最後のクリップに移動する。キー２５Ｄは、再生を停止する指示を出す停止キー、キー２５Ｅは、記録を指示する記録キーである。記録キー２５Ｅの両側には、誤操作を防ぐためのガードとして、縦長の棒状に凸部が設けられる。なお、プレイバックキー２５Ｂとプレビューキー２５Ａとを同時に操作することで、逆方向への高速再生が指示される。また、プレイバックキー２５Ｂとネクストキー２５Ｄとを同時に操作することで、順方向への高速再生が指示される。
【００３４】
キー２５Ａ〜２５Ｅの右側に、４方向キー２７が配される。この４方向キー２７は、上下左右の４方向にそれぞれ対応した４個のキーからなり、例えば表示部１０の表示に基づき方向指示を行うことが必要な際に用いられる。また、４方向キー２７は、例えば編集作業を行う場合に、上述したキー２３Ｃと共に押すことで、ＩＮ点およびＯＵＴ点の指定や、再生位置に対するマーキングの指定がなされる。なお、フロントパネル２の４方向キー２７のそれぞれに対応する位置は、凸型形状とされ、ユーザがパネル面を見なくても操作可能とされている。
【００３５】
キー２５Ａ〜２５Ｅの下部に、アナログ方式のセンサからなるサーチバー３０が配される。サーチバー３０は、手指が触れた位置を直線状に検出することができる。例えば、サーチバー３０の両端に配置された２つの電極それぞれの静電容量の変化に基づき、手指が触れた位置を検出する。両端の２点の値を用いて位置を検出するので、ユーザの指の太さなどにかかわらず、検出される位置を１点に特定することができる。サーチバー３０は、パネル板４０が円弧状に抉られ、横長の凹型形状をなしている。また、サーチバー３０は、凹型形状内における横方向中央部のやや上側に突起３２が設けられ、ユーザが中央部を識別容易とされている。
【００３６】
また、サーチバー３０の円弧状に抉られた底部は、サーチバー３０における横方向に直線状の位置検出可能範囲に対応してスリット状に透過部３１が形成され、パネル板４０の裏面側のこの透過部に対応する位置にＬＥＤといった発光素子を設けた場合に、発光素子の発光がパネル面側から確認できるようにする。詳細は後述するが、発光素子は、スリット状の透過部３１の全体にわたって複数個が設けられ、サーチバー３０に手指が触れた位置に対応して発光するようにされている。
【００３７】
また、サーチバー３０の右側に、サーチバー３０の操作に対する動作モードなどの指定および表示を行う、サーチモードキー２８Ａ〜２８Ｃが配される。サーチモードキー２８Ａ〜２８Ｃに対応してパネル板４０に透過部が所定に形成され、パネル板４０の裏面側のこの透過部に対応する位置にＬＥＤといった発光素子が設けられる。
【００３８】
図３は、フロントパネル２に関する回路構成を概略的に示す。タッチパネル部４２は、図２を用いて説明したパネル板４０および透明電極シート４１と、透明電極シート４１からの出力信号を後続するＫＹマイコン４４に対応した制御信号に変換する制御モジュールとを含む。タッチパネル部４２がＬＥＤ基板モジュール４３を介してＫＹマイコン４４に接続される。ＫＹマイコン４４は、記録再生装置１の本体側のシステムコントローラ（シスコン）４５に接続される。
【００３９】
なお、例えばシフトキー２４などの、非タッチパネル方式によるキーの一部または全部は、出力信号が例えばＫＹマイコン４４に直接的に供給される。
【００４０】
ＬＥＤ基板モジュール４３は、タッチパネル部４２のフロントパネル２正面から見て奥に取り付けられ、基板上の所定位置にＬＥＤが配置されると共に、ＬＥＤの発光制御回路が設けられる。上述したように、ＬＥＤの位置に対応したパネル板４０に透過部が設けられ、ＬＥＤによる発光がフロントパネル２の表面側から確認できるようになっている。図１の例では、上述もしたが、サーチモードキー２８Ａ〜２８Ｃに対応する位置にそれぞれＬＥＤが配置されると共に、サーチバー３０におけるスリット状の透過部３１の全長に対応して、複数個のＬＥＤが配置される。
【００４１】
ＫＹマイコン４４は、例えばマイクロプロセッサからなり、タッチパネル部４２から供給された制御信号に応じた命令を、本体側のシステムコントローラ４５に対して出力する。また、ＫＹマイコン４４は、タッチパネルに対する操作やシステムコントローラ４５からの命令に基づきＬＥＤ基板モジュール４３の発光制御回路を制御し、ＬＥＤを所定に点灯させる。
【００４２】
次に、この発明の一実施形態による操作子について詳細に説明する。一実施形態による操作子は、記録再生装置１の回転つまみ１３Ａ、１３Ｂ、１３Ｃおよび１３Ｄに適用されている。以下、回転つまみ１３Ａ、１３Ｂ、１３Ｃおよび１３Ｄのそれぞれを適宜回転つまみ１３と称する。
【００４３】
記録再生装置１は、４チャンネルの音声入力が可能とされている。例えば回転つまみ１３Ａ〜１３Ｄは、それぞれチャンネル１〜４のレベル調整用ボリュームである。レベル調整用ボリュームなどの頻繁に使用することのない操作子は、誤動作しないように容易に触れない構造とすることが好ましい。回転つまみ１３は、そのような操作子に適した、誤動作を防止でき、且つ操作性およびデザイン性に優れている。
【００４４】
図４は、回転つまみ１３の配置部を側面から見た断面図である。また、図５は、記録再生装置１における回転つまみ１３Ａ、１３Ｂ、１３Ｃおよび１３Ｄの配置部を斜め下方から見た斜視図である。回転つまみ１３は、例えば合成樹脂材料から形成され、略円筒形状に構成されている。回転つまみ１３は、中央部に取り付け部５１を有しており、当該取り付け部５１は、回転つまみ１３の裏側となる下面５２側からプリント基板５３上の可変抵抗器などの電気部品５４に取り付けられている。
【００４５】
回転つまみ１３は、パネル板４０によって回転つまみ１３の表面となる上面５５が覆われるように配置されている。ただし、回転つまみ１３は、操作部である周面５６の円弧がフロントパネル２から部分的に露出し突出するようにパネル板４０に覆われている。操作部は、操作の際にユーザによって触れられる部分である。回転つまみ１３の上面５５をパネル板４０で覆うことによって、回転つまみ１３の誤動作が防止される。
【００４６】
また、パネル板４０は、フロントパネル２のパネル面、すなわち記録再生装置１の外形面を形成している。すなわち、回転つまみ１３は、フロントパネル２のパネル面から突出しないように配置される。これによって、タッチパネルを適用して得られたフロントパネル２のパネル面のフラット感を保つことができる。また、タッチパネルを構成するパネル板４０を回転つまみ１３を覆うカバー部材としているため、新たにカバー部材を使用する必要がなくなる。
【００４７】
記録再生装置１は、フロントパネル２の端部に傾斜を持たせ、それによってフロントパネル２から突出する部分の外形を切り欠いて回転つまみ１３の角部５７をフロントパネル２から露出し突出させている。この回転つまみ１３を露出し突出させる構造は、特に限定されるものではなく、例えば、図６に示すように、段差部５８をフロントパネル２の端部に持たせたものであってもよい。
【００４８】
回転つまみ１３は、ユーザが角部５７に指を掛け動かすことによって、取り付け部５１を中心として回動可能とされている。フロントパネル２からの角部５７の露出は、誤動作防止のために、ユーザが角部５７に指を掛け回転つまみ１３を回転させるのに必要十分である程度とされる。なお、指の掛かりを良好とするために、回転つまみ１３の周面５６には、滑り止め用の溝が形成されている。
【００４９】
回転つまみ１３の角部５７は、フロントパネル２の下端部、すなわち記録再生装置１の底部側から露出している。このように、他の操作においてユーザが触りにくいフロントパネル２の下端部から回転つまみ１３の角部５７を露出させることによって、誤操作をより防止できる。なお、回転つまみ１３の角部５７をフロントパネル２の上端、左右側端などの他の端部から露出することも可能である。
【００５０】
図５に示すように、回転つまみ１３の上面５５には、印刷、凹凸形状などによって指標５９が設けられている。指標５９は、回転つまみ１３を操作した際に変位する変位部の所定位置を示す目印である。図示した例では、回転つまみ１３の上面５５の端部近傍に設けられた丸印を指標５９としているが、上面５５の所定位置を表す目印となるのであれば、矢印などの記号、文字または図形など他の形状を指標５９としてもよい。
【００５１】
少なくとも図５中の破線領域Ａに示すパネル板４０の回転つまみ１３が配置されている部分は、回転つまみ１３の指標５９を視認できる程度の透明性を有しており、ユーザは、パネル板４０を介して回転つまみ１３の指標５９を視認することができる。
【００５２】
パネル板４０には、回転つまみ１３の指標５９に対応する目盛り６０、６０、・・・などの指標が記されている。この指標は、ユーザが回転つまみ１３による操作状態を確認するためのものであり、印刷、凹凸形状などによってパネル板４０に設けられている。また、この指標は、表示部１０に表示するようにしてもよい。例えば、ユーザは、回転つまみ１３の指標５９が指す目盛り６０を見ることによって、回転つまみ１３によるレベル調整の設定を容易に確認することができる。なお、目盛り６０の数および位置は、特に限定されるものではない。また、パネル板４０の指標は、図示した丸印による目盛り６０に限らず、矢印などの記号、文字、図形またはこれらの組み合わせによって構成してもよい。
【００５３】
以上のように構成された回転つまみ１３では、例えばユーザが手のひらを上向きとなるようにして回転つまみ１３が配置されているフロントパネル２の下端部に指を入れ、フロントパネル２から露出し突出している回転つまみ１３の角部５７に指を掛け動かすことによって、記録再生装置１を容易に操作できる。パネル板４０を介して回転つまみ１３の指標５９が視認できるため、レベル調整の位置を容易に確認することができる。また、回転つまみ１３以外による操作など、通常の記録再生装置１の使用環境では、回転つまみ１３の角部５７に触れることはないため、誤操作を防止できる。したがって、操作性を損なわずに誤操作を防止できる。
【００５４】
また、パネル板４０は、記録再生装置１の外形面を形成しているため、回転つまみ１３をフロントパネル２に配置しても、パネル面を凹凸のないフラットな形状とすることができ、記録再生装置１の外観に高級感を持たせることができる。
【００５５】
図７は、回転つまみ１３による動作を説明するための記録再生装置１の部分的な構成の一例を示す。
【００５６】
システムコントローラ４５は、例えばＲＯＭ（Read Only Memory）に記録されているプログラムによって、上述したＫＹマイコン４４などから供給されるタッチパネル、非タッチパネル方式の操作キーに応じた制御信号に基づき、以下のような記録／再生処理を行うように記録再生装置１を構成する各部を制御する。
【００５７】
＜記録処理＞
記録処理時には、ビデオカメラなどから入力端子７４を介して４チャンネルのアナログ音声信号が音声信号入力部７５に供給される。音声信号入力部７５は、レベル調整部７６Ａ〜７６Ｄを有している。音声信号入力部７５に供給された１〜４チャンネルのアナログ音声信号のレベルは、それぞれレベル調整部７６Ａ〜７６Ｄの設定に調整される。
【００５８】
レベル調整部７６Ａ〜７６Ｄのそれぞれは、上述した電気部品５４を構成要素としており、それぞれの電気部品５４に取り付けられている回転つまみ１３Ａ〜１３Ｄを操作することによって、レベル調整部７６Ａ〜７６Ｄのそれぞれの設定を変更できる。例えば、フロントパネル２の正面から回転つまみ１３を時計回りに回転するように操作した場合は、音声信号の入力レベルが増大するように設定され、反時計回りに回転するように操作した場合は、音声信号の入力レベルが低減するように設定される。
【００５９】
音声信号入力部７５は、レベル調整部７６Ａ〜７６Ｄによってレベル調整した４チャンネルのアナログ音声信号に対して音質補正などの所定の処理を施した後、アナログ／ディジタル変換される。音声信号入力部７５によって処理された音声信号は、音声／映像（Ａ／Ｖ）信号処理部７７に供給される。
【００６０】
一方、ビデオカメラなどから入力端子７８を介して映像信号が映像信号入力部７９に供給される。映像信号入力部７９は、入力端子７８を介して供給された映像信号に所定の処理を施す。映像信号入力部７９によって処理された映像信号は、音声／映像信号処理部７７に供給される。
【００６１】
音声／映像信号処理部７７は、音声信号入力部７５から供給された音声信号と映像信号入力部７９から供給された映像信号のそれぞれに、システムコントローラ４５からの制御信号に基づく所定の処理を施す。所定の処理が施された音声／映像信号は、記録再生装置１の外部に出力可能とされる。所定の処理が施された映像信号は、表示用の処理が施され表示部１０にも供給される。これによって、表示部１０に映像が表示される。所定の処理が施された音声／映像信号は、記録時には、エンコーダ／デコーダ（ＥＮＣ／ＤＥＣ）８０にも供給される。
【００６２】
エンコーダ／デコーダ８０は、メモリ８１を用いて音声／映像信号処理部７７から供給される音声／映像信号に圧縮符号化処理を行う。エンコーダ／デコーダ８０によって処理された音声／映像信号は、ドライブ８２に供給される。
【００６３】
ドライブ８２は、エンコーダ／デコーダ８０から供給された音声／映像信号に対して、エラー訂正符号化、記録符号化変調などの処理を順次行って、光ディスク８３に音声／映像信号を記録する。
【００６４】
＜再生処理＞
再生処理時には、ドライブ８２は、光ディスク８３から読み出された音声／映像信号に対して、復調、エラー訂正符号の復号などの処理を順次行う。ドライブ８２によって処理された音声／映像信号は、エンコーダ／デコーダ８０に供給される。
【００６５】
エンコーダ／デコーダ８０は、ドライブ８２から供給された音声／映像信号の圧縮符号を伸長する。エンコーダ／デコーダ８０によって伸長された音声／映像信号は、音声／映像信号処理部７７に供給される。
【００６６】
音声／映像信号処理部７７は、エンコーダ／デコーダ８０から供給された音声／映像信号のそれぞれに、システムコントローラ４５からの制御信号に基づく所定の処理を施す。所定の処理が施された音声／映像信号は、記録再生装置１の外部に出力可能とされる。なお、映像信号は、表示用の処理が施され表示部１０にも供給される。これによって、表示部１０に再生映像が表示される。
【００６７】
以上のように、記録再生装置１では、回転つまみ１３Ａ〜１３Ｄを操作することによって、４チャンネルの音声信号の入力レベルをそれぞれ調整することができる。
【００６８】
なお、一実施形態では、記録／再生を行う記録媒体として光ディスク８３を用いたが、他の記録媒体を用いてもよい。図８は、記録再生装置１の概略的な構成の変形例を示すブロック図である。図９は、記録再生装置１の概略的な構成の他の変形例を示すブロック図である。
【００６９】
図８に示す記録再生装置１では、ドライブ８２は、記録時にエンコーダ／デコーダ８０から供給された音声／映像信号に対して、エラー訂正符号化、記録符号化変調などの処理を順次行って、磁気テープ８４に音声／映像信号を記録する。また、ドライブ８２は、再生時に磁気テープ８４から読み出された音声／映像信号に対して、復調、エラー訂正符号の復号などの処理を順次行う。他の動作については、図７を参照して説明したのと同様であり、ここでは説明を省略する。
【００７０】
図９に示す記録再生装置１では、記録時にエンコーダ／デコーダ８０によって圧縮符号化された音声／映像信号は、メモリインタフェース（Ｉ／Ｆ）８５に供給され、フラッシュメモリなどの着脱可能なメモリ８６に音声／映像信号が記録される。また、再生時には、メモリ８６から読み出された音声／映像信号がメモリインタフェース８５を介してエンコーダ／デコーダ８０に供給される。他の動作については、図７を参照して説明したのと同様であり、ここでは説明を省略する。
【００７１】
これら変形例および他の変形例における記録再生装置１についても、回転つまみ１３Ａ〜１３Ｄを操作することによって、４チャンネルの音声信号のそれぞれの入力レベルを調整することができる。
【００７２】
この発明は、上述したこの発明の実施形態に限定されるものでは無く、この発明の要旨を逸脱しない範囲内で様々な変形や応用が可能である。例えば、上述した説明では、記録再生装置１を機器の一例としたが、これに限らず、各種実験装置などの電子機器、電化製品、器具などの誤操作を防止したい操作子を備える他の機器に適用できる。
【００７３】
また、一実施形態による操作子として回転つまみ１３について説明したが、スライド式つまみ、押引用つまみなどの操作子に適用してもよい。また、回転つまみ１３は、入力音声信号のレベル調整用の操作子に限らず、入力映像信号、出力音声信号、出力映像信号などのレベル調整用の操作子に適用できる。また、操作子は、ボリュームの操作子に限らず、回転式スイッチの操作子などであってもよい。さらに、回転つまみ１３は、電気的な操作を行うものに限らず、機械的な操作を行うものであってもよい。
【図面の簡単な説明】
【００７４】
【図１】この発明の一実施形態による操作子を適用した記録再生装置のフロントパネルの構成の一例を示す図である。
【図２】タッチパネルの構成の一例を示す断面図である。
【図３】フロントパネルに関する回路構成の一例を示すブロック図である。
【図４】回転つまみの配置部の構造を示す断面図である。
【図５】回転つまみの配置部を斜め下から見た斜視図である。
【図６】回転つまみを露出させる他の構造を示す断面図である。
【図７】記録再生装置の部分的な構成の一例を示すブロック図である。
【図８】記録再生装置の部分的な構成の変形例を示すブロック図である。
【図９】記録再生装置の部分的な構成の他の変形例を示すブロック図である。
【符号の説明】
【００７５】
１・・・記録再生装置
１３（１３Ａ，１３Ｂ，１３Ｃ，１３Ｄ）・・・回転つまみ
４０・・・パネル板
５５・・・上面
５６・・・周面
５７・・・角部
５９・・・指標
６０・・・目盛り
【図１】
2006294197.tif 000003
【図２】
2006294197.tif 000004
【図３】
2006294197.tif 000005
【図４】
2006294197.tif 000006
【図５】
2006294197.tif 000007
【図６】
2006294197.tif 000008
【図７】
2006294197.tif 000009
【図８】
2006294197.tif 000010
【図９】
2006294197.tif 000011